(57)【要約】【課題】  床とドア下枠との間をバリアフリー構造とした場合にドア前カバーが足で踏まれることを回避できるようにし、しかもドア前カバーによるシール効果を長期に亘って持続でき、そのうえ見栄えを良好に保つこと。【解決手段】  床１にドア受け部材２を取り付け、ドア受け部材２にドア下枠３を取り付け、ドア受け部材２又はドア下枠３の一方に、床１の上面１ａと面一に配設されるカバー受け部材４を取り付け、カバー受け部材４の上端面４ａから床１の端部の上面１ａに跨ってドア前カバー５を取り付ける。ドア前カバー５の下面から突設した脚８をドア受け部材２又はドア下枠３の少なくとも一方に設けた溝９に深浅自在に嵌め込む。ドア下枠３の前端部３ａの上面３ｂをドア前カバー５の後端部５ｂの上面５ｃよりも上方Ｂに段差状に突出させると共に、床１の端部の上面１ａとドア下枠３の前端部３ａの上面３ｂとの高低差Ｈを２０ｍｍ以下に設定した。【選択図】        図１
2005299180.tif 000002
【特許請求の範囲】
【請求項１】
床の端部に取り付けられるドア受け部材と、ドア受け部材に取り付けられるドア下枠と、ドア受け部材又はドア下枠の一方に設けられて床の上面と面一に配設されるカバー受け部材と、カバー受け部材の上端面から床の端部の上面に跨って載設されてドア下枠側の後端部から床側の前端部に向って下り傾斜したドア前カバーとを備え、ドア前カバーにより床とカバー受け部材間の継ぎ目及びカバー受け部材とドア下枠間の継ぎ目をそれぞれ覆った状態で、ドア前カバーの下面から突設した脚を上記ドア受け部材又はドア下枠の少なくとも一方に設けた溝に深浅自在に嵌め込み、ドア下枠におけるドア前カバー側の前端部の上面がドア前カバーの後端部の上面よりも上方に段差状に突出していると共に、床の端部の上面とドア下枠の前端部の上面との高低差が２０ｍｍ以下に設定されていることを特徴とするドア前カバーの取付構造。
【請求項２】
上記カバー受け部材は、ドア受け部材と一体に形成されていることを特徴とする請求項１記載のドア前カバーの取付構造。
【発明の詳細な説明】
【技術分野】
【０００１】
本発明は、ドア前カバーの取付構造に関し、詳しくは床とドア下枠との間をバリアフリー構造とした場合にドア前カバーが足で踏まれることを回避しようとする技術に関するものである。
【背景技術】
【０００２】
近年、浴室と脱衣室との間の出入口に段差を設けない、いわゆるバリアフリー工法が多く用いられつつあるが、この場合、浴室で使用した浴水が浴室の床の端部とドア下枠との隙間から漏れるのを防ぐためにドア前カバーをドア下枠の前方の全幅に亘って配設することが知られている（例えば、特許文献１参照）。
【０００３】
上記ドア前カバー５´を配設するにあたっては、例えば図７に示すように、浴室の床１の端部にドア受け部材２を取り付け、ドア受け部材２の上にドア下枠３を取り付け、ドア下枠３の床１側の前端部３ａから床１側に向ってカバー受け部材４´を連設し、カバー受け部材４´の上面に設けた前後一対の溝９にドア前カバー５´の前後一対の脚８をそれぞれ嵌め込んだ状態で、ドア前カバー５´のヒレ状の前端部５ａを床１の上面１ａまで跨いで覆設するようにしている。
【０００４】
ところが、従来のドア前カバー５´は、床１の上面１ａ及びドア下枠３の上端面よりも上方に盛り上がるようにして設置されるため、出入りする人の足でドア前カバー５´が踏み付けられてしまい、このためドア前カバー５´のヒレ状の前端部５ａが床１から浮き上がったり、捲れたりして、ドア前カバー５´と床１の上面１ａとの間に隙間が生じてしまい、経時的にドア前カバー５´によるシール効果が損なわれ易く、とくに床１の成形誤差、或いは床１とドア下枠３との施工誤差等が生じた場合は、ドア前カバー５´の前端部５ａと床１の上面１ａとの間に隙間が一層生じ易くなるという問題があり、また同時にドア前カバー５´の見栄えが悪くなるという問題もある。さらに従来ではドア下枠３にカバー受け部材４´が一体に設けられた構造であるため、ドア下枠３全体の形状が大きくなるという問題もある。
【特許文献１】特開２００１−１２３７５２号公報
【発明の開示】
【発明が解決しようとする課題】
【０００５】
本発明は上記の従来の問題点に鑑みて発明したものであって、床とドア下枠との間をバリアフリー構造とした場合にドア前カバーが足で踏まれることを回避できるようにし、しかもドア前カバーによるシール効果を長期に亘って持続でき、そのうえ見栄えが良好なドア前カバーの取付構造を提供することを課題とするものである。
【課題を解決するための手段】
【０００６】
前記課題を解決するために本発明にあっては、床１の端部に取り付けられるドア受け部材２と、ドア受け部材２に取り付けられるドア下枠３と、ドア受け部材２又はドア下枠３の一方に設けられて床１の上面１ａと面一に配設されるカバー受け部材４と、カバー受け部材４の上端面４ａから床１の端部の上面１ａに跨って載設されてドア下枠３側の後端部５ｂから床１側の前端部５ａに向って下り傾斜したドア前カバー５とを備え、ドア前カバー５により床１とカバー受け部材４間の継ぎ目６及びカバー受け部材４とドア下枠３間の継ぎ目７をそれぞれ覆った状態で、ドア前カバー５の下面から突設した脚８を上記ドア受け部材２又はドア下枠３の少なくとも一方に設けた溝９に深浅自在に嵌め込み、ドア下枠３におけるドア前カバー５側の前端部３ａの上面３ｂがドア前カバー５の後端部５ｂの上面５ｃよりも上方Ｂに段差状に突出していると共に、床１の端部の上面１ａとドア下枠３の前端部３ａの上面３ｂとの高低差Ｈが２０ｍｍ以下に設定されていることを特徴としている。
【０００７】
このような構成とすることで、ドア前カバー５を溝９に深浅自在に嵌め込むことにより、床１に対するドア前カバー５の上下方向の突出寸法が調整可能となり、これに伴い床１との掛かり代Ｅを大きくできるので、仮りに床１の成形誤差或いは床１とカバー受け部材４のと施工誤差があっても、ドア前カバー５の深浅調整によってその誤差を吸収でき、結果、施工誤差に影響されずに、ドア前カバー５のシール性を長期に亘って持続できるようになる。しかも、ドア下枠３と床１との高低差Ｈを２０ｍｍ以下に設定することで、住宅の品質確保の促進等に関する法律（通称「品確法」）で定めるバリアフリーの条件をクリアしつつ、ドア下枠３の前端部３ａの上面３ｂをドア前カバー５の後端部５ｂの上面５ｃよりも上方Ｂに段差状に突出させたので、出入りする人がドア下枠３に足Ａをかけたときに、ドア前カバー５が足Ａで踏み付けられるのを回避できるようになり、従来のようなドア前カバー５の浮き上がりや、捲れを防止できる結果、ドア前カバー５のシール性を高めることができると共にドア前カバー５の見栄えを良好に保つことができる。
【０００８】
また上記カバー受け部材４は、ドア受け部材２と一体に形成されているのが好ましく、この場合、カバー受け部材４がドア下枠３とは別体構造となり、これによりドア下枠３が大きくなるのを防止でき、ドア下枠３の部品の簡素化及び共通化を図ることができる一方で、カバー受け部材４をドア受け部材２と一体化することで、部品数を削減して、施工効率の向上を図ることができる。
【発明の効果】
【０００９】
本発明に係るドア前カバーの取付構造にあっては、床とドア下枠との間をバリアフリー構造としながら、ドア前カバーが出入りする人の足で踏まれるのを回避でき、さらにドア前カバーによるシール効果を長期に亘って持続できると共に、見栄えを良好に保つことができるという効果を奏するものである。
【発明を実施するための最良の形態】
【００１０】
以下、本発明を添付図面に示す実施形態に基いて説明する。
【００１１】
図１は本実施形態のドア前カバー５の施工状態の一例を示している。浴室の床１の端部には、ドア受け部材２が取り付けられる。このドア受け部材２は、浴室出入口の横幅方向全長に亘って延びており、床１の端部の下面に垂設された補強リブ１０と床１の端部下面とのなすコーナー部に沿ってビス固定される床固定片２ａと、床１の端部とドア下枠３との間に配設される略矩形状のカバー受け部材４と、ドア受け部材２を受ける本体部２ｂとが一体に構成されている。
【００１２】
ここで、上記カバー受け部材４の上端面４ａは床１の上面１ａと面一とされる。カバー受け部材４の上端面４ａには上方Ｂに開口した前側の溝９ａが凹設されている。この前側の溝９ａはカバー受け部材４の長手方向全長に亘って設けられており、後述のドア前カバー５の前脚部８ａが深浅自在に圧入されるようになっている。前側の溝９ａの深さはドア前カバー５の前脚部８ａの長さよりも深く形成されている。
【００１３】
一方、ドア受け部材２の上には、ドアを開閉自在に支持する矩形状の開口枠が設置される。この開口枠は、例えばドア下枠３と図示省略したドア上枠とドア側枠とで構成されている。ドア下枠３は、ドア受け部材２の本体部２ｂに取り付けられる取付部３ｃと、ドアの下端部をガイドするレール部３ｄとが一体形成されている。ドア下枠３の前端部３ａには、上方Ｂに開口した側面視Ｌ字形の後側の溝９ｂが設けられている。この後側の溝９ｂはドア下枠３の長手方向全長に亘って設けられており、上記ドア前カバー５の後脚部８ｂが深浅自在に圧入されるようになっている。この後側の溝９ｂの深さはドア前カバー５の後脚部８ｂの長さよりも深く形成されている。なお、ドア下枠３の前端部３ａと対向するカバー受け部材４の後端角部４ｂは、後側の溝９ｂを納めるために斜めに切欠かれている。
【００１４】
ここで、ドア下枠３の前端部３ａの上面３ｂは、床１の上面１ａ及びカバー受け部材４の上端面４ａよりも一段高く形成され、その高低差Ｈはバリアフリーの条件をクリアできる数値、つまり２０ｍｍ以下に設定されている。
【００１５】
一方、ドア前カバー５は、カバー受け部材４の上端面４ａから床１の端部の上面１ａに跨って載設される。このドア前カバー５は、ドア受け部材２の長手方向全長に亘って延び、その前後幅寸法Ｄ（図６）は例えば２０ｍｍ程度とされる。このドア前カバー５の下面にはカバー受け部材４の上端面４ａの溝９及びドア下枠３の前端部３ａの溝９にそれぞれ圧入により深浅自在に嵌め込み可能な脚８（前脚部８ａ、後脚部８ｂ）が突設されている。この前脚部８ａ及び後脚部８ｂは、それぞれ、ドア前カバー５の長手方向の全長に亘って形成されており、前脚部８ａと後脚部８ｂとを溝９（９ａ，９ｂ）に嵌め込んだ状態で、ドア前カバー５によって継ぎ目６，７が覆われるようになっている。さらにドア前カバー５の厚みは、前端部５ａが最も薄肉とされ、後端部５ｂが最も肉厚とされ、これによりドア前カバー５をカバー受け部材４の上端面４ａに取り付けた状態では、ドア前カバー５の上面５ｃに後端部５ｂから前端部５ａに向って下り勾配が形成され、水がドア前カバー５の上面５ｃに溜まることなく、浴室の床１の上面１ａ側に水切りできる構造となっている。ここでドア前カバー５の後端部５ｂの厚みは、床１の上面１ａとドア下枠３の前端部３ａの上面３ｂとの高低差Ｈ（バリアフリーの条件を満たすことができる２０ｍｍ以下）よりも薄く設定され、これにより、ドア前カバー５の後端部５ｂの上面５ｃよりもドア下枠３の前端部３ａの上面３ｂが上方Ｂに段差状に突出するようにしている。なお、ドア前カバー５の材質は、全体が軟質材料で形成されているが、勿論これに限らず、床１と接触するヒレ状の前端部５ａのみが軟質材料で形成されてもよい。
【００１６】
しかして、床１の端部とカバー受け部材４との継ぎ目６には工場で予めシール材１１が充填され、床１とドア受け部材２とを工場でシール固定する（図４の状態）。これにより床１とドア受け部材２とを精度良く緻密にシールできるようになる。これを現場に搬入して、図１のように、ドア下枠３を設置すると共に、カバー受け部材４の後端角部４ｂとドア下枠３の前端部３ａとの継ぎ目７にシール材１１を充填し、最後にドア前カバー５をカバー受け部材４に嵌め込んで作業が完了する。
【００１７】
ここで、本発明においては、ドア下枠３の前端部３ａの上面３ｂはドア前カバー５の後端部５ｂの上面５ｃよりも上方Ｂに段差状に突出しているので、ドア前カバー５が足Ａで踏まれるのを回避できるようになり、従来のようなドア前カバー５の浮き上がりや、捲れを防止できる。しかも、床１の上面１ａからドア下枠３の前端部３ａの上面３ｂまでの高低差Ｈを２０ｍｍ以下に設定しているので、住宅の品質確保の促進等に関する法律（通称「品確法」）で定めるバリアフリーの条件をクリアできるものである。この結果、バリアフリーの条件をクリアしつつドア前カバー５が足Ａで踏まれないようにでき、ドア前カバー５によるシール効果を長期に亘って確保できると共に外観上の見栄えも良好に保つことができるものである。
【００１８】
そのうえ床１に対するドア前カバー５の掛かり代Ｅを大きくしたので、床１の成形誤差や床１とカバー受け部材４との施工誤差等を吸収できるようになる。つまり、ドア前カバー５の前脚部８ａ及び後脚部８ｂを溝９（９ａ，９ｂ）にそれぞれ深浅自在に嵌め込むことで、ドア前カバー５をカバー受け部材４に対して上下高さ調整可能となり、これに伴い図３（ａ）に示すように、床１との掛かり代Ｅを大きくできる。従って、図３（ｂ）或いは図３（ｃ）に示すように、±２ｍｍ程度の床１の成形誤差或いは床１とカバー受け部材４との間の施工誤差があっても、ドア前カバー５の深浅調整によってその誤差を吸収できるものであり、この結果、施工誤差に影響されずに、ドア前カバー５のシール効果を長期に亘って十分に確保できるものとなる。また本例では、脚８の外周面に複数の凸段部を突設させて、脚８を溝９に圧入させる方式を採用しているので、溝９に対して脚８の十分な抜け止め効果が得られるものである。
【００１９】
さらに、床１の端部とカバー受け部材４との継ぎ目６、及び、カバー受け部材４の後端角部４ｂとドア下枠３の前端部３ａとの継ぎ目７に、それぞれ、シリコンのようなシール材１１が充填されるので、ドア前カバー５の前端部５ａと床１の上面１ａとの隙間から浸入する水は前側の継ぎ目６のシール材１１で受け止められ、ドア前カバー５の後端部５ｂとドア下枠３の前端部３ａとの隙間から浸入する水は後側の継ぎ目７のシール材１１で受け止められるようになる。しかもこれらの継ぎ目６，７及びそのシール材１１はそれぞれ、ドア前カバー５によって覆い隠されているため、ドア前カバー５は、シール機能だけでなく、継ぎ目６，７及びシール材１１を覆い隠すための化粧カバーとしての役割も担っており、従って、見栄えが一層良くなる。そのうえドア前カバー５の後脚部８ｂ近傍の厚肉部分の下面に、切込み１２（図６）を設けているので、厚肉の後脚部８ｂが撓み易く、溝９ｂへの圧入作業が容易になるといった利点もある。
【００２０】
また本例では、カバー受け部材４は、ドア受け部材２と一体に形成されているので、ドア下枠３の大型化を防止できる。つまり、カバー受け部材４をドア下枠３とは別体にすることで、ドア下枠３の部品の簡素化及び共通化を図ることができ、部品の管理、製造が容易となり、一方、カバー受け部材４をドア受け部材２と一体化することで、部品数を削減して、施工効率の向上を図ることができる。
【００２１】
なお、前記実施形態では、カバー受け部材４をドア受け部材２と一体に形成した場合を説明したが、必ずしもこれに限らず、カバー受け部材４をドア受け部材２とは別体とし且つドア下枠３に一体形成することも可能である。また、ドア受け部材２とドア下枠３の両方に溝９を設けたが、いずれか一方に設けることも可能である。
【００２２】
本発明に係るドア前カバーの取付構造は、浴室出入口の洗い場床と脱衣室床との段差をなくしたバリアフリー浴室に広く適用されるものである。
【図面の簡単な説明】
【００２３】
【図１】本発明の一実施形態のドア前カバーを備えた浴室出入口の説明図である。
【図２】同上のドア前カバーをカバー受け部材及びドア下枠の溝に圧入する場合を説明する分解斜視図である。
【図３】（ａ）は同上の床に対するドア前カバーの掛かり代の説明図、（ｂ）（ｃ）は床とカバー受け部材との施工誤差の一例の説明図である。
【図４】同上の床及びドア受け部材の斜視図である。
【図５】同上のドア下枠の斜視図である。
【図６】同上のドア前カバーの斜視図である。
【図７】従来のドア前カバーの取付構造の説明図である。
【符号の説明】
【００２４】
１  床
１ａ  上面
２  ドア受け部材
３  ドア下枠
３ａ  前端部
３ｂ  上面
４  カバー受け部材
４ａ  上端面
５  ドア前カバー
５ａ  前端部
５ｂ  後端部
５ｃ  上面
６，７  継ぎ目
８  脚
９  溝
Ｂ  上方
Ｈ  高低差
【図１】
2005299180.tif 000003
【図２】
2005299180.tif 000004
【図３】
2005299180.tif 000005
【図４】
2005299180.tif 000006
【図５】
2005299180.tif 000007
【図６】
2005299180.tif 000008
【図７】
2005299180.tif 000009